(57)【要約】  本発明のスライドファスナー付き物品は、複数の単独エレメント(11,51)が連結紐状部材(12,52)に固着一体化された一対のエレメント部材(10,50)と、スライダー(20,30)と、ファスナー被着部材(2)とを有し、ファスナー被着部材(2)の第１面側にエレメント部材(10,50)が縫い糸(19,59a,59b)により縫着されている。また、スライダー(20,30)のエレメント案内路内には、エレメント部材(10,50)とファスナー被着部材(2)とが挿通されている。これにより、スライドファスナー付き物品の軽量化や柔軟性の向上が図れる。また、生地に防水性などの機能が付与されたスライドファスナー付き物品を低コストで製造できる。
2014118948.tif 000002
【特許請求の範囲】
【請求項１】
複数の合成樹脂製の単独エレメント(11,51) が、可撓性を有する少なくとも１本の連結紐状部材(12,52) に等間隔で固着一体化されて連結された一対のエレメント部材(10,50) と、
上下翼板(23,24,33,34) 間にエレメント案内路が形成されたスライダー(20,30) と、
物品の開閉部を形成するファスナー被着部材(2) とを有し、
前記ファスナー被着部材(2) の第１面側に、前記一対のエレメント部材(10,50) が縫い糸(19,59a,59b)により直接縫着され、
前記スライダー(20,30) の前記エレメント案内路内に、前記エレメント部材(10,50) と前記ファスナー被着部材(2) とが挿通されてなる、
ことを特徴とするスライドファスナー付き物品。
【請求項２】
前記エレメント部材(10)は、２本の前記連結紐状部材(12)に、複数の前記単独エレメント(11)が射出成形されて構成され、
前記単独エレメント(11)は、前記連結紐状部材(12)が挿通する胴体部(13)と、前記胴体部(13)から前記ファスナー被着部材(2) の外方に延出する延出部(14)とを有し、
前記延出部(14)は、前記ファスナー被着部材(2) 側となる第１面側に配され、首部(17)及び噛合頭部(18)を備えた第１延出部(14a)と、前記ファスナー被着部材(2) から離間する第２面側に配され、延出方向に向けてテープ長さ方向の寸法が漸減する三角形状の第２延出部(14b)とを有してなる、
請求項１記載のスライドファスナー付き物品。
【請求項３】
前記エレメント部材(50)は、２本の前記連結紐状部材(52)に、複数の前記単独エレメント(51)が射出成形されて構成され、
前記単独エレメント(51)は、噛合頭部(53)と、前記噛合頭部(53)を挟んで延設された第１脚部(54)及び第２脚部(55)とを有し、
前記第１脚部(54)及び第２脚部(55)に、前記連結紐状部材(52)がそれぞれ挿通されてなる、
請求項１記載のスライドファスナー付き物品。
【請求項４】
前記ファスナー被着部材(2) に、補強シート部材(41)が取着され、
前記エレメント部材(10)が、前記補強シート部材(41)とともに前記縫い糸(19)で前記ファスナー被着部材(2) に縫着されてなる
請求項１〜３のいずれかに記載のスライドファスナー付き物品。
【請求項５】
前記補強シート部材(41)は、前記エレメント部材(10)と前記ファスナー被着部材(2) との間に介装されてなる請求項４記載のスライドファスナー付き物品。
【請求項６】
前記ファスナー被着部材(2) の第２面側に、合成樹脂製の防水層(42)が形成され、又は樹脂フィルム部材が貼着され、
一対の前記エレメント部材(10) が噛合したときに、対向する前記防水層(42)同士若しくは前記樹脂フィルム部材同士が接触してなる、
請求項１〜５のいずれかに記載のスライドファスナー付き物品。
【請求項７】
複数の前記単独エレメント(11,51) により形成されるエレメント列(4) の一端及び他端の少なくとも一方に隣接して、前記ファスナー被着部材(2) とは別の生地片(3) が前記スライダー(20,30) の止具として取着されてなる請求項１〜６のいずれかに記載のスライドファスナー付き物品。
【請求項８】
スライダー(20,30) の摺動により開閉されるスライドファスナーが、ファスナー被着部材(2) に取着されたスライドファスナー付き物品(1) の製造方法であって、
複数の噛合頭部(18,53) を等間隔に有する一対のエレメント部材(10,50) を作製すること、
前記エレメント部材(10,50) を前記ファスナー被着部材(2) の第１面側に縫着し、前記エレメント部材(10,50) が縫着された前記ファスナー被着部材(2) を、前記エレメント部材(10,50) と一緒に所要の形状に裁断することにより、又は、前記ファスナー被着部材(2) を所定の形状に裁断するとともに前記エレメント部材(10,50) を所要の長さに切断し、前記ファスナー被着部材(2) の第１面側に前記エレメント部材(10,50) を縫着することにより、エレメント部材(10,50) 付き構成パーツ(7) を作製すること、及び
前記構成パーツ(7) を用いて前記物品(1) を組み立てるとともに、前記エレメント部材(10,50) によるエレメント列(4) に前記スライダー(20,30) を摺動可能に取り付けること、
を含んでなることを特徴とするスライドファスナー付き物品の製造方法。
【請求項９】
前記構成パーツ(7) における前記エレメント列(4) の一端及び他端の少なくとも一方に隣接して、前記ファスナー被着部材(2) とは別の生地片(3) を前記スライダー(20,30) の止具として取着することを含んでなる請求項８記載のスライドファスナー付き物品の製造方法。
【請求項１０】
前記エレメント部材(10,50) を、前記噛合頭部(18,53) を有する複数の単独エレメント(11,51) を少なくとも１本の可撓性を有する連結紐状部材(12,52) に射出成形することにより作製することを含んでなる請求項８又は９記載のスライドファスナー付き物品の製造方法。
【請求項１１】
前記ファスナー被着部材(2) の裁断時又は前記エレメント部材(10,50) の切断時に、前記エレメント部材(10,50) を前記連結紐状部材(12,52) の部分にて切断することを含んでなる請求項８〜１０のいずれかに記載のスライドファスナー付き物品の製造方法。
【請求項１２】
前記ファスナー被着部材(2) に補強シート部材(41)を固着すること、及び、
前記エレメント部材(10)を、前記補強シート部材(41)とともに縫い糸(19)で前記ファスナー被着部材(2) に縫着すること、
を含んでなる請求項８〜１１のいずれかに記載のスライドファスナー付き物品の製造方法。
【請求項１３】
前記補強シート部材(41)を、前記エレメント部材(10) と前記ファスナー被着部材(2) との間に介装することを含んでなる請求項１２記載のスライドファスナー付き物品の製造方法。
【請求項１４】
前記エレメント部材(10)を前記ファスナー被着部材(2) に縫着した後に、前記ファスナー被着部材(2) の第２面側に、合成樹脂製の防水層(42)を、一対の前記エレメント部材(10) が噛合したときに、対向する当該防水層(42)同士が接触するように形成すること、又は、樹脂フィルム部材を、一対の前記エレメント部材(10)が噛合したときに、対向する当該樹脂フィルム部材同士が接触するように貼着することを含んでなる請求項８〜１３のいずれかに記載のスライドファスナー付き物品の製造方法。
【請求項１５】
前記構成パーツ(7) を衣服の前身頃側又は後身頃側の開閉部を形成する部位に用いて、前記スライドファスナー付き物品(1)として衣服を製造することを含んでなる請求項８〜１４のいずれかに記載のスライドファスナー付き物品の製造方法。
【発明の詳細な説明】
【技術分野】
【０００１】
本発明は、複数の噛合頭部を等間隔に有するエレメント部材が、衣料品などの物品に縫い付けて固定されたスライドファスナー付き物品、及びそのスライドファスナー付き物品の製造方法に関する。
【背景技術】
【０００２】
スライドファスナーは、一般的に、衣料品、日用雑貨品、産業用資材などの物品や、自動車、列車、航空機等の各種シート類などの物品の開閉具として多く使用されている。各種の物品の開閉部に使用されるスライドファスナーは、一般に、エレメント列が形成された一対のファスナーストリンガーと、エレメント列に沿って摺動可能に配されたスライダーとを有している。【０００３】
ファスナーストリンガーとしては、例えば、熱可塑性樹脂製のモノフィラメントをコイル状又はジグザグ状に成形して、複数の噛合頭部が一続きに連結された連続ファスナーエレメントを、ファスナーテープに縫着することによってエレメント列が形成されたファスナーストリンガーや、合成樹脂製の単独エレメントを帯状のファスナーテープに直接射出成形することによってエレメント列が形成されたファスナーストリンガーなどが一般的に知られている。【０００４】
また、例えば国際公開第２０１２／０２０４９９号パンフレット（特許文献１）には、図１８及び図１９に示すようなファスナーストリンガー７１を有するスライドファスナー７０が開示されている。【０００５】
この特許文献１に記載されているスライドファスナー７０は、ファスナーテープ７３にエレメント列７２が形成された左右一対のファスナーストリンガー７１と、エレメント列７２に沿って摺動可能なスライダー８０と、左右のエレメント列７２の一端部に配された第１止具７８と、左右のエレメント列７２の他端部に配された第２止具７９とを有している。【０００６】
この場合、前後方向とは、ファスナーテープ７３のテープ長さ方向を言い、特に、スライダー８０がスライドファスナー７０のエレメント列７２を噛合させるように摺動する方向を前方とし、エレメント列７２を分離させるように摺動する方向を後方とする。また、左右方向とは、ファスナーテープ７３のテープ幅方向を言う。更に、上下方向とは、ファスナーテープ７３のテープ表裏方向を言い、特に、ファスナーテープ７３に対してスライダー８０の引手８１が配されている側の方向を上方とし、その反対側の方向を下方とする。【０００７】
左右の各ファスナーストリンガー７１は、帯状のファスナーテープ７３と、ファスナーテープ７３の第１面側に配された複数のファスナーエレメント９０とを有しており、複数のファスナーエレメント９０は、互いに平行に配される２本の連結紐状部材（例えば連結糸）９１によって、互いに連結された状態で、図示しない２組の縫着糸の二重環縫いによってファスナーテープ７３の第１面に縫い付けられている。【０００８】
各ファスナーエレメント９０は、２本の連結紐状部材９１に合成樹脂を射出成形することにより構成されている。また、各ファスナーエレメント９０は、２本の連結紐状部材９１に固定される胴体部９２と、胴体部９２からテープ幅方向の外側（噛合相手方のファスナーストリンガー７１側）に向けて延出する延出部９３とを有しており、延出部９３は、ファスナーテープ７３の第１面に対面する側に配された第１延出部９３ａと、外部に露出する側に配され、第１延出部９３ａとは異なる形態を備えた第２延出部９３ｂとを有している。【０００９】
この場合、ファスナーエレメント９０の胴体部９２の上面部と前端面部及び後端面部とには、ファスナーエレメント９０をファスナーテープ７３に縫着する縫着糸を収容するための２つの凹状の収容溝が、２本の連結紐状部材９１間に挟まれるようにして設けられている。また、第１延出部９３ａは、胴体部９２からテープ幅方向に延出し、括れた形状を呈する首部９４と、首部９４から更に延出した膨大状の噛合頭部９５とを有する。第２延出部９３ｂは、平面視において、先端部に向けてテープ長さ方向（前後方向）の寸法が漸減する略三角形状の形態を備える。【００１０】
上述のような構成を有する特許文献１のファスナーストリンガー７１では、ファスナーエレメント９０を縫着する２組の縫着糸が、ファスナーエレメント９０の収容溝に収容されながらファスナーエレメント９０をファスナーテープ７３に縫い付け固定するため、縫着糸によりファスナーエレメント９０がしっかりと固定されるとともに、縫着糸がファスナーエレメント９０から脱落することを防止できる。このため、ファスナーテープ７３に対するファスナーエレメント９０の取付強度が向上する。【００１１】
また、２本の連結紐状部材９１で連結された各ファスナーエレメント９０が、２組の縫着糸の二重環縫いによって縫い付けられるため、各ファスナーエレメント９０をファスナーテープ７３に対して安定した姿勢で取り付けることができる。【００１２】
更に、例えば合成樹脂製のファスナーエレメントをファスナーテープに直接射出成形するタイプの従来のファスナーストリンガーでは、通常、ファスナーテープの表裏両面に跨ってファスナーエレメントが形成される。しかし、特許文献１のファスナーストリンガー７１では、射出成形された合成樹脂製のファスナーエレメント９０が、ファスナーテープ７３の一方のテープ面側のみに配されている。このため、特許文献１では、射出成形タイプのファスナーエレメント９０を有するファスナーストリンガー７１の軽量化が図れるとともに、ファスナーテープ７３の柔軟性（特に、テープ表裏方向の柔軟性）を高めることができる。【００１３】
また、例えば国際公開第２００９／１１８８４６号パンフレット（特許文献２）には、合成樹脂を連結紐状部材に射出成形することによって構成されたファスナーストリンガーを有する隠しスライドファスナーが開示されている。【００１４】
ところで、従来の一般的なスライドファスナー（ファスナーストリンガー）では、コイル状の連続ファスナーエレメントや、射出成形された単独エレメントなどのファスナーエレメントは、ファスナーテープのテープ側縁部（エレメント取付部）に取着することによって構成されている。【００１５】
これに対して、例えば特開昭６２−２９９２０５号公報（特許文献３）には、スライドファスナーが取り付けられた物品（スライドファスナー付き物品）における色合いなどの見栄え（外観品質）の向上や、軽量化などを図るために、物品の生地を織成又は編成する際に、当該生地にファスナーエレメントを直接織り込み固定又は編み込み固定することにより、ファスナーテープを介在させずに、ファスナーエレメントを物品の生地に直接取着することが開示されている。【００１６】
このようにファスナーエレメントが物品の生地に直接織り込み又は編み込みされる場合、例えばスライドファスナーを製造してから、当該スライドファスナーのファスナーテープを物品の生地に縫製してスライドファスナー付き物品を製造する場合に比べて、スライドファスナー付き物品の製造における作業工程を減らすことが可能となる。このため、製造ラインのスピード化やコスト削減といった効果が期待できる。【００１７】
更に、物品の生地にファスナーエレメントを正確な取付ピッチで織り込み固定又は編み込み固定できるため、スライドファスナーの開閉操作（ファスナーエレメントの噛合及び分離の操作）を円滑に行うことができる。
【先行技術文献】
【特許文献】
【００１８】
【特許文献１】国際公開第２０１２／０２０４９９号パンフレット
【特許文献２】国際公開第２００９／１１８８４６号パンフレット
【特許文献３】特開昭６２−２９９２０５号公報
【発明の概要】
【発明が解決しようとする課題】
【００１９】
近年、衣料品などの衣類、鞄類、及び靴類などの物品では、それぞれの用途に応じて性質を改善したり、様々な機能を付与したりして付加価値を高めることが行われており、例えば日常的に使用される衣類や鞄類などにおいては、更なる軽量化や柔軟性の向上などが求められてきている。【００２０】
しかし、例えば特許文献１及び２のスライドファスナーなどのような左右一対のファスナーストリンガーを有する従来のスライドファスナーでは、スライドファスナーの構成部品として、ファスナーテープ、ファスナーエレメント、及びスライダーが必要不可欠であるため、そのスライドファスナーが取着されたスライドファスナー付き物品では、重量の増加が避けられない。また、物品の開閉部に、複数のファスナーエレメントが取着されたファスナーテープ（すなわち、ファスナーストリンガー）が縫製等によって取り付けられることにより、物品の柔軟性を低下させるという問題を生じさせていた。【００２１】
一方、例えば特許文献３に記載されているように、ファスナーエレメントを物品の生地に直接織り込み固定又は編み込み固定することにより、スライドファスナー付き物品を製造する場合、スライドファスナーの必須構成部品であるファスナーテープが不要となるため、スライドファスナー付き物品の軽量化を図ることが可能となる。【００２２】
しかし、ファスナーエレメントを物品の生地に直接織り込み固定又は編み込み固定するためには、高度の技術が必要となるため、設備コストの増加を招くことや、熟練の技術者を確保する必要があるといった問題があった。また、ファスナーエレメントを直接織り込み固定又は編み込み固定するためのしっかりとした生地に構成する必要があるため、そのファスナーエレメントを固定する生地と、それ以外を構成する生地とでは、柔らかさ、厚さ、質感を同等のものにすることができないという問題があった。【００２３】
また、物品の生地にファスナーエレメントを直接織り込み固定又は編み込み固定する場合、例えば物品の生地に合成樹脂をコーティングして生地に防水性を付与するというように、その生地自体に所望の機能を付与することが難しい。このため、特許文献３に記載されている方法は、生地に防水性などの特別な機能を持たせるようなスライドファスナー付き物品の製造には適していないという欠点があった。【００２４】
本発明は上記従来の課題に鑑みてなされたものであって、その具体的な目的は、軽量化や柔軟性の向上が実現できるとともに、生地に防水性などの特別な機能を備えさせるような場合でも、容易に製造することが可能なスライドファスナー付き物品、及びそのスライドファスナー付き物品の製造方法を提供することにある。
【課題を解決するための手段】
【００２５】
上記目的を達成するために、本発明により提供されるスライドファスナー付き物品は、基本的な構成として、複数の合成樹脂製の単独エレメントが、可撓性を有する少なくとも１本の連結紐状部材に等間隔で固着一体化されて連結された一対のエレメント部材と、上下翼板間にエレメント案内路が形成されたスライダーと、物品の開閉部を形成するファスナー被着部材とを有し、前記ファスナー被着部材の第１面側に、前記一対のエレメント部材が縫い糸により直接縫着され、前記スライダーの前記エレメント案内路内に、前記エレメント部材と前記ファスナー被着部材とが挿通されてなることを最も主要な特徴とするものである。【００２６】
本発明に係るスライドファスナー付き物品において、前記エレメント部材は、２本の前記連結紐状部材に、複数の前記単独エレメントが射出成形されて構成され、前記単独エレメントは、前記連結紐状部材が挿通する胴体部と、前記胴体部から前記ファスナー被着部材の外方に延出する延出部とを有し、前記延出部は、前記ファスナー被着部材側となる第１面側に配され、首部及び噛合頭部を備えた第１延出部と、前記ファスナー被着部材から離間する第２面側に配され、延出方向に向けてテープ長さ方向の寸法が漸減する三角形状の第２延出部とを有していることが好ましい。【００２７】
また、前記エレメント部材は、２本の前記連結紐状部材に、複数の前記単独エレメントが射出成形されて構成され、前記単独エレメントは、噛合頭部と、前記噛合頭部を挟んで延設された第１脚部及び第２脚部とを有し、前記第１脚部及び第２脚部に、前記連結紐状部材がそれぞれ挿通されていても良い。【００２８】
本発明に係るスライドファスナー付き物品においては、前記ファスナー被着部材に、補強シート部材が取着され、前記エレメント部材が、前記補強シート部材とともに前記縫い糸で前記ファスナー被着部材に縫着されていることが好ましい。この場合、前記補強シート部材は、前記エレメント部材と前記ファスナー被着部材との間に介装されていることが好ましい。【００２９】
また、本発明に係るスライドファスナー付き物品において、前記ファスナー被着部材の第２面側に、合成樹脂製の防水層が形成され、又は樹脂フィルム部材が貼着され、一対の前記エレメント部材が噛合したときに、対向する前記防水層同士若しくは前記樹脂フィルム部材同士が接触していることが好ましい。【００３０】
更に、本発明に係るスライドファスナー付き物品では、複数の前記単独エレメントにより形成されるエレメント列の一端及び他端の少なくとも一方に隣接して、前記ファスナー被着部材とは別の生地片が前記スライダーの止具として取着されていることが好ましい。【００３１】
次に、本発明によれば、スライダーの摺動により開閉されるスライドファスナーが、ファスナー被着部材に取着されたスライドファスナー付き物品の製造方法であって、複数の噛合頭部を等間隔に有する一対のエレメント部材を作製すること、前記エレメント部材を前記ファスナー被着部材の第１面側に縫着し、前記エレメント部材が縫着された前記ファスナー被着部材を、前記エレメント部材と一緒に所要の形状に裁断することにより、又は、前記ファスナー被着部材を所定の形状に裁断するとともに前記エレメント部材を所要の長さに切断し、前記ファスナー被着部材の第１面側に前記エレメント部材を縫着することにより、エレメント部材付き構成パーツを作製すること、及び前記構成パーツを用いて前記物品を組み立てるとともに、前記エレメント部材によるエレメント列に前記スライダーを摺動可能に取り付けること、を含んでなることを最も主要な特徴とするスライドファスナー付き物品の製造方法が提供される。【００３２】
本発明に係るスライドファスナー付き物品の製造方法は、前記構成パーツにおける前記エレメント列の一端及び他端の少なくとも一方に隣接して、前記ファスナー被着部材とは別の生地片を前記スライダーの止具として取着することを含んでいることが好ましい。【００３３】
特に、本発明に係るスライドファスナー付き物品の製造方法は、前記エレメント部材を、前記噛合頭部を有する複数の単独エレメントを少なくとも１本の可撓性を有する連結紐状部材に射出成形することにより作製することを含んでいることが好ましい。【００３４】
更に、本発明に係るスライドファスナー付き物品の製造方法は、前記ファスナー被着部材の裁断時又は前記エレメント部材の切断時に、前記エレメント部材を前記連結紐状部材の部分にて切断することを含んでいることが好ましい。【００３５】
また、本発明に係るスライドファスナー付き物品の製造方法は、前記ファスナー被着部材に補強シート部材を固着すること、及び、前記エレメント部材を、前記補強シート部材とともに縫い糸で前記ファスナー被着部材に縫着すること、を含んでいることが好ましい。この場合、本発明の製造方法は、前記補強シート部材を、前記エレメント部材と前記ファスナー被着部材との間に介装することを更に含んでいることが特に好ましい。【００３６】
更に、本発明に係るスライドファスナー付き物品の製造方法は、前記エレメント部材を前記ファスナー被着部材に縫着した後に、前記ファスナー被着部材の第２面側に、合成樹脂製の防水層を、一対の前記エレメント部材が噛合したときに、対向する当該防水層同士が接触するように形成すること、又は、樹脂フィルム部材を、一対の前記エレメント部材が噛合したときに、対向する当該樹脂フィルム部材同士が接触するように貼着することを含んでいることが好ましい。【００３７】
更にまた、本発明に係るスライドファスナー付き物品の製造方法は、前記構成パーツを衣服の前身頃側又は後身頃側の開閉部を形成する部位に用いて、前記スライドファスナー付き物品として衣服を製造することを含んでいることが好ましい。
【発明の効果】
【００３８】
本発明により提供されるスライドファスナー付き物品は、複数の合成樹脂製の単独エレメントが、可撓性を有する少なくとも１本の連結紐状部材に等間隔で固着一体化されて連結された一対のエレメント部材と、スライダーと、物品の開閉部を形成するファスナー被着部材とを有している。また、ファスナー被着部材の開閉部における第１面側に、一対のエレメント部材が縫い糸により直接縫着されているとともに、スライダーのエレメント案内路内に、エレメント部材とファスナー被着部材とが挿通されている。【００３９】
このような本発明のスライドファスナー付き物品によれば、ファスナー被着部材の一部をファスナーテープとして利用することができるため、従来のスライドファスナーでは必須構成部品であったファスナーテープを用いることなくスライドファスナーを構成することができる。このようにファスナーテープを不用とすることにより、スライドファスナー付き物品の軽量化や柔軟性の向上を図ることができる。特に、本発明では、エレメント部材が衣服の生地の第１面側のみに配されるため、衣服のスライドファスナーが取り付けられた部分の柔軟性（特に、生地表裏面方向の柔軟性）を高めることができる。【００４０】
また、本発明のスライドファスナー付き物品では、例えば防水性などのような所望の機能が付与されたファスナー被着部材の生地に対して、エレメント部材を縫製により直接縫い付けることが可能であるため、例えば前記特許文献３の場合に比べて、生地が特別な機能を備えたスライドファスナー付き物品の製造を低コストで容易に行うことが可能となる。【００４１】
本発明のスライドファスナー付き物品において、複数の単独エレメントが、２本の連結紐状部材に射出成形されてエレメント部材が構成されていることにより、エレメント部材の構造を簡単にすることができるとともに、各単独エレメントの姿勢を安定させることができる。このため、当該エレメント部材をファスナー被着部材に容易に且つ安定して縫着することができる。【００４２】
特に本発明では、単独エレメントが、連結紐状部材が挿通する胴体部と、胴体部からファスナー被着部材の外方に延出する延出部とを有し、また、延出部が、ファスナー被着部材側となる第１面側に配され、首部及び噛合頭部を備えた第１延出部と、ファスナー被着部材から離間する第２面側に配され、延出方向に向けてテープ長さ方向の寸法が漸減する三角形状の第２延出部とを有して、エレメント部材が構成されている。このようにエレメント部材が構成されていることにより、単独エレメントをファスナー被着部材に安定して直接縫着することができ、また、スライダーを摺動させることにより、エレメント部材からなる左右のエレメント列を安定して噛合・分離させることができる。【００４３】
また、本発明では、単独エレメントが、噛合頭部と、噛合頭部を挟んで延設された第１脚部及び第２脚部とを有し、更に、第１脚部及び第２脚部に、連結紐状部材がそれぞれ挿通されて、エレメント部材が構成されていても良い。このようにエレメント部材が構成されていることによっても、単独エレメントをファスナー被着部材に安定して直接縫着することができ、また、スライダーを摺動させることにより、エレメント部材からなる左右のエレメント列を安定して噛合・分離させることができる。【００４４】
更に、本発明のスライドファスナー付き物品においては、ファスナー被着部材に、補強シート部材が取着されている。また、エレメント部材が、補強シート部材とともに縫い糸でファスナー被着部材に縫着されている。これにより、エレメント部材をファスナー被着部材に直接縫い付ける際に、ミシン針の刺通によりファスナー被着部材に縫い糸が通る孔が形成されても、当該孔の周囲を補強シート部材で補強できるため、ファスナー被着部材に破損などを生じ難くすることができ、スライドファスナー付き物品の強度や耐久性を高めることができる。【００４５】
この場合、補強シート部材が、エレメント部材とファスナー被着部材との間に介装されていることにより、補強シート部材を目立ち難くすることができ、スライドファスナー付き物品の外観品質が低下することを抑えられる。また、補強シート部材が、ファスナー幅方向において、エレメント部材よりも生地の内側に延ばして、特に、スライダーのフランジ部が摺接する領域まで延ばして取り付けられていることにより、ファスナー被着部材である生地を広い範囲で補強できる。更に、スライダーのフランジ部を生地に直接摺接させることを防ぎ、又は直接摺接させ難くすることができる。このため、生地がスライダーとの間の摩擦によって擦り切れることを抑制できる。【００４６】
また、本発明に係るスライドファスナー付き物品は、ファスナー被着部材の開閉部における第２面側に、合成樹脂製の防水層が形成され、又は樹脂フィルム部材が貼着されており、一対のエレメント部材が噛合したときに、対向する防水層同士若しくは樹脂フィルム部材同士が接触するように構成されている。【００４７】
これにより、例えば防水性を備えたファスナー被着部材にエレメント部材が縫製により縫着されて、ファスナー被着部材に縫い糸が通る孔が形成されても、合成樹脂製の防水層又は樹脂フィルム部材により、当該孔を介して液体が侵入することを防止できる。また、左右のエレメント列が噛合したときに、開閉部を形成するファスナー被着部材の対向側縁からの液体の侵入も阻止できる。このため、スライドファスナー付き物品に、優れた防水性を備えさせることができる。【００４８】
更に、本発明に係るスライドファスナー付き物品では、複数の前記単独エレメントにより形成されるエレメント列の一端及び他端の少なくとも一方に隣接して、ファスナー被着部材とは別の生地片がスライダーの止具として取着されている。これにより、エレメント列に摺動可能に取着されたスライダーが、エレメント列から外れて脱落することを防止できる。【００４９】
次に、本発明により提供されるスライドファスナー付き物品の製造方法は、先ず、複数の噛合頭部を等間隔に有する一対のエレメント部材を作製する。
続いて、得られたエレメント部材をファスナー被着部材の第１面側に縫着してから、エレメント部材が縫着されたファスナー被着部材を、そのエレメント部材とともに所要の形状に裁断する。或いは、ファスナー被着部材を所定の形状に裁断するとともにエレメント部材を所要の長さに切断してから、そのファスナー被着部材の第１面側にエレメント部材を縫着する。これによって、エレメント部材付き構成パーツを作製する。その後、得られた構成パーツを用いて物品を組み立てるとともに、エレメント部材によるエレメント列にスライダーを摺動可能に取り付けることによって、スライドファスナー付き物品を製造する。【００５０】
このような本発明の製造方法によれば、エレメント部材付きの構成パーツを含む複数の構成パーツを用いて、所定の形態に組み立てられたスライドファスナー付き物品を安定して製造することができる。また、本発明の製造方法では、例えば防水性などのような所望の機能が付与されたファスナー被着部材の生地に対して、エレメント部材を縫製により直接縫い付けることができるため、当該機能を備えたスライドファスナー付き物品を低コストで容易に製造することができる。そして、このような製造方法により製造されたスライドファスナー付き物品は、上述のように、ファスナー被着部材の一部がファスナーテープとして用いられているため、軽量で柔軟性にも優れている。【００５１】
本発明の製造方法は、構成パーツにおけるエレメント列の一端及び他端の少なくとも一方に隣接して、ファスナー被着部材とは別の生地片をスライダーの止具として取着することを含んでいる。これにより、スライドファスナー付き物品を構成したときに、エレメント列に摺動可能に取着されたスライダーが、エレメント列から外れて脱落することを防止できる。【００５２】
また、本発明の製造方法は、噛合頭部を有する複数の単独エレメントを少なくとも１本の可撓性を有する連結紐状部材に射出成形して、これらの単独エレメントを連結紐状部材で互いに連結することによってエレメント部材を作製することを含んでいる。これにより、エレメント部材を簡単な構造で構成することができ、また、エレメント部材を有するスライドファスナー付き物品を低コストで安定して製造することができる。なお、本発明の製造方法では、エレメント部材として、モノフィラメントをコイル状又はジグザグ状に成形して構成され、複数の噛合頭部を等間隔に有する連続したエレメント部材を用いることも可能である。【００５３】
この場合、本発明の製造方法は、ファスナー被着部材の裁断時又はエレメント部材の切断時に、エレメント部材を連結紐状部材の部分にて切断することを含んでいる。これにより、スライドファスナー付き物品の製造において、エレメント部材の切断を効率的且つ的確に行うことができる。【００５４】
また、本発明の製造方法は、ファスナー被着部材に補強シート部材を接着又は溶着により固着すること、及び、エレメント部材を、補強シート部材とともに縫い糸でファスナー被着部材に縫着することを含んでいる。これにより、ファスナー被着部材を補強シート部材で補強できるため、ファスナー被着部材に破損などが生じ難く、強度や耐久性に優れたスライドファスナー付き物品を安定して製造することができる。【００５５】
この場合、本発明の製造方法は、補強シート部材を、エレメント部材とファスナー被着部材との間に介装することを含んでいることにより、補強シート部材を目立ち難い状態でファスナー被着部材に取り付けることができる。このため、製造されるスライドファスナー付き物品において外観品質が低下することを抑制できる。【００５６】
更にこの場合、補強シート部材を、ファスナー幅方向において、エレメント部材よりも生地の内側に延ばして、特に、スライダーのフランジ部が摺接する領域まで延ばして生地に取り付けることにより、生地を広い範囲で補強できる。しかも、スライダーのフランジ部を生地に直接摺接させることを防ぎ、又は直接摺接させ難くすることができるため、生地がスライダーとの間の摩擦によって擦り切れることを抑制できる。【００５７】
また、本発明の製造方法は、エレメント部材をファスナー被着部材に縫着した後に、ファスナー被着部材の第２面側に、合成樹脂製の防水層を、一対のエレメント部材が噛合したときに、対向する当該防水層同士が接触するように形成することを含んでいる。或いは、本発明の製造方法は、エレメント部材をファスナー被着部材に縫着した後に、ファスナー被着部材の第２面側に、樹脂フィルム部材を、一対のエレメント部材が噛合したときに、対向する当該樹脂フィルム部材同士が接触するように貼着することを含んでいる。【００５８】
このような防水層又は樹脂フィルム部材をファスナー被着部材の第２面側に形成するにより、縫製時にファスナー被着部材にミシン針の刺通による孔が形成されても、当該孔を介して液体が侵入することを防止できる。また、左右のエレメント列の噛合時に、一対のファスナー被着部材の互いに接触する対向側縁間から液体が侵入することも阻止できる。このため、スライドファスナー付き物品の防水性を向上させることができる。【００５９】
更に、本発明の製造方法によれば、構成パーツを衣服の前身頃側又は後身頃側の開閉部を形成する部位に用いて、スライドファスナー付き物品として衣服を好適に製造することができ、また、製造されるスライドファスナー付き衣服に、防水性などのような所望の機能を低コストで容易に備えさせることができる。また、本発明の製造方法により製造された衣服は、前身頃側又は後身頃側の開閉部をスライドファスナーで開閉でき、また、衣服の生地の一部がファスナーテープとして用いられているため、軽量で柔軟性に優れている。
【図面の簡単な説明】
【００６０】
【図１】本発明の実施例１に係るスライドファスナー付き物品（衣服）を模式的に示す外観図である。
【図２】同スライドファスナー付き物品の正面図である。
【図３】同スライドファスナー付き物品の要部について、その一部を透過させて示す拡大図である。
【図４】同スライドファスナー付き物品の要部を更に拡大して示す拡大図である。
【図５】同スライドファスナー付き物品において、左右のエレメント部材が噛合した状態を示す断面図である。
【図６】同エレメント部材がファスナー被着部材に縫着される前の状態を示す斜視図である。
【図７】同エレメント部材が縫い付けられたファスナー被着部材を示す平面図である。
【図８】同スライドファスナー付き物品用の構成パーツの一部を示す平面図である。
【図９】別の態様に係る製造方法において、エレメント部材がファスナー被着部材に縫着される前の状態を示す平面図である。
【図１０】更に別の態様に係る製造方法において、構成パーツが作製される前の状態を示す平面図である。
【図１１】作製された構成パーツの平面図である。
【図１２】本発明の実施例２に係るスライドファスナー付き物品の要部を示す断面図である。
【図１３】同スライドファスナー付き物品の製造において、エレメント部材が取着される前のファスナー被着部材及び補強シート部材を示す断面図である。
【図１４】同スライドファスナー付き物品の製造において、エレメント部材が補強シート部材及びファスナー被着部材に縫着された状態を示す断面図である。
【図１５】同スライドファスナー付き物品の製造において、ファスナー被着部材に防水層が形成された状態を示す断面図である。
【図１６】本発明の実施例３に係るスライドファスナー付き物品の要部を示す断面図である。
【図１７】同スライドファスナー付き物品に用いられるエレメント部材を示す斜視図である。
【図１８】従来のスライドファスナーを示す平面図である。
【図１９】従来のスライドファスナーの要部を示す斜視図である。
【発明を実施するための形態】
【００６１】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００６２】
例えば、以下の各実施例では、スライドファスナー付き物品がスライドファスナー付き衣服である場合について説明するが、本発明に係るスライドファスナー付き物品は、衣服（衣料品）に限定されるものではなく、靴類や鞄類などの日用雑貨品、産業用資材などの物品、自動車、列車、航空機等の各種シート類などの様々な物品が含まれる。
【実施例１】
【００６３】
図１は、本実施例１に係るスライドファスナー付き衣服を示す外観図である。図２は、同スライドファスナー付き衣服の正面図であり、図３は、同スライドファスナー付き衣服の要部について、その一部を透過させて示す拡大図である。また、図４は、同スライドファスナー付き物品の要部を更に拡大して示す拡大図であり、図５は、同スライドファスナー付き物品において、左右のエレメント部材が噛合した状態を示す断面図である。なお、図１では、エレメント部材の図示が省略されている。【００６４】
また、以下のエレメント部材に関する説明において、前後方向とは、スライダーの摺動方向に平行なファスナー長さ方向を言い、特に、スライダーが左右のエレメント列を噛合させるように摺動する方向を前方とし、左右のエレメント列を分離させるように摺動する方向を後方とする。【００６５】
左右方向とは、スライドファスナーのファスナー幅方向（特に、ファスナー被着部材となる生地の幅方向）を言い、例えば、スライダーの摺動方向に直交し、且つ、ファスナー被着部材のエレメント部材取付面に平行な方向である。更に、上下方向とは、前後方向と左右方向とに直行する方向を言い、例えばファスナー被着部材のエレメント部材取付面に直交するファスナー厚さ方向を指す。特に、エレメント部材に対してスライダーの引手が配されている側の方向を上方とし、その反対側の方向を下方とする。【００６６】
本実施例１に係るスライドファスナー付き物品は、衣服（衣料品）１であり、この衣服１の前身頃の前立て部に設けられた開閉部に、後述するエレメント部材１０と、スライダー２０とが取り付けられている。すなわち、本実施例１において、衣服１の前立て部を構成する生地（ガーメント生地とも言う）２が、エレメント部材１０が取着されるファスナー被着部材となる。【００６７】
本実施例１におけるスライドファスナーは、衣服１の生地２にエレメント列４が直接形成されて構成された左右一対のファスナーストリンガーと、左右のエレメント列４に沿って摺動可能に配されたスライダー２０とを有している。【００６８】
なお、従来のスライドファスナーで、スライダーがエレメント列から脱落することを防ぐために、一般的に、エレメント列の前端及び後端に隣接して止具が設けられているが、本実施例１のスライドファスナーの場合、エレメント列４の前端側及び後端側に止具を設ける代わりに、エレメント列４の前端部及び後端部に重なるようにして、後述するように、衣服１の構成パーツとなる生地片３が縫い付けられている（図３を参照）。【００６９】
このようにエレメント列４の前端部及び後端部に生地片３を縫い付けることにより、当該生地片３が止具と同じように働いて、スライダー２０がエレメント列４の前端及び後端から脱落することを防止している。なお、本発明では、本実施例１のように生地２をエレメント列４に重ねて縫合せずに、例えばエレメント列４の前端及び後端に隣接する位置に止具を所定の形状に成形すること、エレメント列４の前後端部に配されたファスナーエレメント１１に止具部品を嵌着させて止具を形成することなどによって、エレメント列４からのスライダー２０の脱落を防ぐことも可能である。【００７０】
またその他に、エレメント列４の前後端部に樹脂フィルムを接着又は溶着すること、エレメント列４の前後端部から延出した生地２の延出部分を折り返して縫い合わせること、及び、左右のエレメント列４の前後端部を噛合させた状態でファスナー幅方向に縫うことなどによって、止具を形成しなくても、エレメント列４からのスライダー２０の脱落を防ぐことも可能である。更に、本発明では、止具の代わりに、蝶棒、箱棒、及び箱体を備えた開離嵌挿具を設けることも可能である。【００７１】
本実施例１において、左右の各ファスナーストリンガーは、ファスナーテープとしての役割も果たす物品の生地（ファスナー被着部材）２と、当該生地２に２組の縫い糸１９により固定されたエレメント部材１０とを有している。【００７２】
ファスナー被着部材である生地２は、衣服の前立て部を構成する生地２であり、その衣服に必要な性能や性質（柔らかさ、厚さ、質感、色合いなど）を備えている。本実施例１において、エレメント部材１０が縫着されている生地２は、衣服の形やデザイン等に応じて、所定の形状及び寸法に裁断されている。特に軽量化の点から、一般的な従来のファスナーテープの厚さが１．１ｍｍ〜１．５ｍｍであるのに対し、ファスナー被着部材である生地２及びその他の部分の生地は薄く、その厚さは０．４ｍｍ〜０．７ｍｍである。【００７３】
また、エレメント部材１０が縫着される生地２には、生地２の表面や裏面に、図示しない樹脂フィルムなどの補強シート部材を貼着して生地２を補強することも可能である。なお本発明において、この衣服の生地２自体の構成は特に限定されるものではなく、衣服の用途などに応じて適宜変更することができる。【００７４】
本実施例１のエレメント部材１０は、噛合頭部１８を備えた複数の独立した単独ファスナーエレメント（単独エレメント）１１と、これら複数のファスナーエレメント１１を連結する２本の連結紐状部材１２とを有しており、本実施例１のファスナーエレメント１１及び連結紐状部材１２自体は、前述の特許文献１に係るスライドファスナーに用いられているファスナーエレメント及び連結紐状部材と実質的に同様の構成を有する。なお、本発明では、複数のファスナーエレメント１１を１本の連結紐状部材１２により連結してエレメント部材を構成することも可能である。以下に、本実施例１のエレメント部材１０について、具体的に説明する。【００７５】
本実施例１のエレメント部材１０を構成する複数のファスナーエレメント１１は、２本の連結紐状部材１２によって等間隔で連結された状態で、ファスナー長さ方向に沿って一列に整列している。複数のファスナーエレメント１１は、例えば、ポリアミド、ポリアセタール、ポリプロピレン、ポリブチレンテレフタレートなどの熱可塑性樹脂を、２本の連結紐状部材１２に射出成形することにより、これらの連結紐状部材１２と一体的に形成されている。【００７６】
なお、本発明において、ファスナーエレメント１１の材質は、上記した合成樹脂に限定されるものではなく、例えばファスナーエレメント１１をその他の合成樹脂又は金属で構成することも可能である。また、本発明のエレメント部材は、熱可塑性樹脂を連結紐状部材１２に射出成形してファスナーエレメント１１が形成されたものに限定されず、例えば、熱可塑性樹脂を射出成形して所定の形状に形成されたファスナーエレメントを、連結紐状部材に溶着又は接着などによって固着されたものを含む。【００７７】
本実施例１のファスナーエレメント１１は、２本の連結紐状部材１２に固定される胴体部１３と、胴体部１３からファスナー幅方向に沿って生地２の外方側（噛合相手方のファスナーストリンガー側）に延出する延出部１４とを有している。胴体部１３は、所定の長さ寸法（前後方向の寸法）と所定の高さ寸法（上下方向の寸法）とを有する略直方体状の立体に、縫い糸１９を収容する２つの凹状の収容溝１５が形成された形態を有している。【００７８】
この場合、２つの収容溝１５は、胴体部１３における２本の連結紐状部材１２間に挟まれた領域に、胴体部１３の上面側と前後端面側とに連続する凹溝として、互いに離間した位置に形成されている。また、胴体部１３の生地２に対面する下面（裏面）には、凹状に湾曲した湾曲部１６が、２本の連結紐状部材１２に挟まれて設けられている。【００７９】
更に、胴体部１３における生地２の内方側に向いている端面（噛合頭部１８側とは反対の端面）は、平面視にて、ファスナー長さ方向の中央部が生地２の内方側に向けて膨出した凸曲面状に形成されている。これによって、スライダー２０がエレメント列４に沿って摺動するときに、当該スライダー２０の後述する左右の上フランジ部２５とファスナーエレメント１１との間に生じる摩擦を小さくして、スライダー２０の摺動性を高めることができる。【００８０】
同ファスナーエレメント１１の延出部１４は、生地２の側端縁から外方に突出して配されている。また、この延出部１４は、生地２の表面（第１面）に対面する側（下部側）となる下面（第１面）側に配された第１延出部１４ａと、生地２の表面（第１面）から離間する上面（第２面）側となる外部に露出する側（上部側）に配された第２延出部１４ｂとを備えている。また、第１延出部１４ａと第２延出部１４ｂとは互いに異なる形態を有しているものの、第１延出部１４ａと第２延出部１４ｂとは一体的に形成されている。更に、第１延出部１４ａの高さ寸法は、第２延出部１４ｂの高さ寸法よりも大きく設定されている。【００８１】
第１延出部１４ａは、胴体部１３から延出し、長さ寸法が小さくなるように括れた形態の首部１７と、首部１７の先端部から更に生地２の外方側に延出し、ファスナー長さ方向に膨大した長円形状の噛合頭部１８とを有している。この場合、噛合頭部１８の長さ寸法は、胴体部１３の長さ寸法よりも大きく設定されている。【００８２】
第２延出部１４ｂは、胴体部１３から生地２の外方側に向けて延出し、その延出方向の先端に向けて長さ寸法（前後方向の寸法）を漸減させる形態を有しており、上面側から見たときに、略三角形状を呈する。この場合、第２延出部１４ｂは、第１延出部１４ａの首部１７に対して、前後方向に張り出して形成されている。一方、第１延出部１４ａの噛合頭部１８は、第２延出部１４ｂに対して前後方向に突出して形成されている。【００８３】
本実施例１における三角形状の第２延出部１４ｂは、スライドファスナー付き衣服１において左右のエレメント列４が噛合したときに、左右のファスナーエレメント１１の第２延出部１４ｂ同士が接触又は近接する形状及び寸法を有している。これによって、左右のエレメント列４の噛合時に第１延出部１４ａの首部１７及び噛合頭部１８が第２延出部１４ｂの裏面側に隠れて見え難くなる。【００８４】
このような構成を有する複数のファスナーエレメント１１は、互いに平行に配された２本の連結紐状部材１２に対して合成樹脂を射出成形することによって構成されている。また、複数のファスナーエレメント１１を連結する連結紐状部材１２は、生地２の内方側の位置で胴体部１３に挿通される第１連結紐状部材１２ａと、延出部１４側の位置で胴体部１３に挿通される第２連結紐状部材１２ｂとを有している。【００８５】
これら第１及び第２連結紐状部材１２ａ，１２ｂは、円形の断面を有して各ファスナーエレメント１１を貫通している。また、第１及び第２連結紐状部材１２ａ，１２ｂは、マルチフィラメント糸などの紐状部材で構成されている。なお、本発明において、連結紐状部材１２の材質は特に限定されるものではなく、ファスナーエレメント１１と同じ合成樹脂を用いて形成されたモノフィラメント、又はその他の糸などによって構成することも可能である。また、第１及び第２連結紐状部材１２ａ，１２ｂの断面形状も、必要に応じて任意に変更することが可能である。【００８６】
本実施例１のエレメント部材１０では、上述のように、互いに平行に配された２本の第１及び第２連結紐状部材１２ａ，１２ｂによって複数のファスナーエレメント１１が連結されていることにより、各ファスナーエレメント１１の姿勢（位置関係）や各ファスナーエレメント１１間の間隔が安定して保持される。【００８７】
また、このようなファスナーエレメント１１及び連結紐状部材１２を有する本実施例１のエレメント部材１０は、生地２の表面（第１面）に配置した状態で、ミシンによる縫製が行われることによって、生地２に縫着されている。特に本実施例１において、エレメント部材１０は、２組の縫い糸１９の二重環縫いによって生地２に取着されている。【００８８】
この場合、二重環縫いを構成する縫い糸１９は、生地２及びファスナーエレメント１１の表面側を走行するルーパ糸と、生地２の裏面側を走行するとともに、所定の間隔で生地２を刺通してルーパ糸と交絡する針糸とを有している。また、ルーパ糸は、ファスナーエレメント１１の胴体部１３に形成された２つの収容溝１５内に収容されながら、そのルーパ糸と針糸との間に生地２とファスナーエレメント１１の胴体部１３とを拘束することによって、ファスナーエレメント１１が生地２に縫い付け固定されている。【００８９】
このように２組の縫い糸１９が、それぞれファスナーエレメント１１の収容溝１５に収容されながら、当該ファスナーエレメント１１を生地２に縫い付け固定することによって、縫い糸１９の位置がずれることなく、また、ファスナーエレメント１１を縫い糸１９でしっかりと固定できる。このため、生地２に対するファスナーエレメント１１の取り付け強度が向上し、ファスナーエレメント１１が生地２から外れたり、脱落したりすることを防止できる。【００９０】
また、縫い糸１９のステッチ形式として二重環縫いを採用することによって、縫い目の強度に優れ、伸縮性にも富むため好ましく、また、たとえ縫い糸１９が切れたとしても、縫い糸１９のほつれを生じ難くすることができる。【００９１】
なお、本発明では、縫い糸１９のステッチ形式として、二重環縫い以外の形式を採用することも可能である。また、本発明において、例えば上記収容溝１５を設けずにファスナーエレメント１１を構成する場合には、エレメント部材１０の第１及び第２連結紐状部材１２ａ，１２ｂ上に沿って縫い糸１９を生地２に刺通させて縫着を行うことも可能である。【００９２】
本実施例１のエレメント列４に取り付けるスライダー２０は、図２及び図５などに模式的に示したように、スライダー胴体２１と、取付軸部を一端部に備えた引手２２とを有している。【００９３】
また、スライダー胴体２１は、上翼板２３と、上翼板２３と離間して平行に配された下翼板２４と、上下翼板２３，２４の前端部（肩口側端部）間を連結する図示しない案内柱と、上翼板２３の左右側縁部から下翼板２４に向けて垂設された上フランジ部２５と、下翼板２４の左右側縁部に配された突条部２６と、上翼板２３の上面に配された引手取付部２７とを有している。【００９４】
このスライダー胴体２１の前端部には、案内柱を間に挟んで左右の肩口が形成され、スライダー胴体２１の後端部には後口が形成されている。また、上下翼板２３，２４間には、左右の肩口と後口とを連通する略Ｙ字形状のエレメント案内路が形成されている。特に、本実施例１のスライダー２０におけるエレメント案内路は、エレメント部材１０と衣服の生地２とが挿通可能な寸法をもって構成されている。このような構成を有するスライダー２０を用いることにより、衣服の生地２に直接縫い付けられた左右のエレメント部材１０の噛合と分離を円滑に行うことができる。【００９５】
次に、上述のようなエレメント部材１０を有する本実施例１のスライドファスナー付き衣服１の製造方法について説明する。
先ず、エレメント部材１０と、衣服用の生地２（裁断される前の生地２）とを準備する。本実施例１のエレメント部材１０は、上述したように、２本の平行に配された連結紐状部材１２に対して合成樹脂を直接射出成形し、所定の形状を有する複数のファスナーエレメント１１を形成することによって作製される。【００９６】
一方、エレメント部材１０とは別に、ファスナー被着部材となる衣服用の生地２を編成や織成などによって作製する。このとき、例えば生地２に防水性を付与したい場合には、編成又は織成された生地２に合成樹脂をコーティングしたり、樹脂フィルムを貼り付けたりすることも可能である。【００９７】
次に、上述のようにして作製したエレメント部材１０及び生地２を用いて、エレメント部材１０付きの衣服用構成パーツ５を作製する。例えば図６に示したエレメント部材１０を、衣服の前身頃を構成する生地２の前立て部となる部分に、ミシンを用いて縫製を行うことにより縫合する。【００９８】
このとき、エレメント部材１０を生地２の表面に配置した状態でミシンによる縫製を行うことによって、２組の縫い糸１９が、ファスナーエレメント１１の胴体部１３に形成された２つの収容溝１５にそれぞれ導かれて収容されるとともに、各縫い糸１９の二重環縫いによってファスナーエレメント１１の胴体部１３が生地２に縫い付けられる。これによって、図７に示したようなエレメント部材１０付きの生地２が得られる。【００９９】
続いて、得られたエレメント部材１０付きの生地２を、衣服の前身頃に対応した所定の形状となるように裁断を行う。例えば図７に一点鎖線で示したように、生地２を所定の形状に裁断するとともに、当該生地２に縫着されたエレメント部材１０を生地２の形状に合わせて裁断（切断）する。これにより、エレメント部材１０が取着された前身頃用の構成パーツ５が作製される。このとき、図８に示したように、互いに線対称の関係となる左右一対の構成パーツ５を作製する。なお、この図８において、一点鎖線は縫い代の部分を表している。【０１００】
このとき、生地２に縫着されたエレメント部材１０を、エレメント部材１０のファスナーエレメント１１の位置ではなく、連結紐状部材１２の位置で切断するようにして生地２の裁断を行うことが好ましい。これにより、エレメント部材１０の切断を効率的且つ的確に行うことができるため、エレメント部材１０付きの生地２を所定の形状に安定して裁断することができる。【０１０１】
また、左右一対の前身頃用の構成パーツ５の他に、これら前身頃用構成パーツの下端部に縫合される構成パーツ（生地片３）や、衣服における左右の袖部や後身頃を構成する不図示の構成パーツ（生地片）、及び、前身頃の首周りに取り付けられる不図示の構成パーツ（生地片）などを作製して準備する。【０１０２】
特に、前身頃用の構成パーツ５と左右の袖部や後身頃を構成する構成パーツとは、必要な性能や性質として、柔らかさ、厚さ、質感が同等である。色合いについてはデザインによるものであるため、同色であることや、一部の構成パーツの色を変更することがある。【０１０３】
その後、作製した各部位の構成パーツを互いに縫製等により結合させて、衣服を組み立てるとともに、生地２にエレメント部材１０を縫い付けて形成されたエレメント列４に、スライダー２０を摺動可能に取り付ける。これによって、図１に示したようなスライドファスナー付き衣服１を安定して製造することができる。【０１０４】
このようにして製造された本実施例１のスライドファスナー付き衣服１は、衣服の生地２の一部が、衣服を構成するだけでなく、スライドファスナーのファスナーテープとしても機能するため、従来のスライドファスナーでは必須構成部品であったファスナーテープの存在を省略することができる。このようにファスナーテープが不用となることにより、スライドファスナー付き衣服１の製造コスト（特に、材料によるコスト）を低減することができる。また、スライドファスナー付き衣服１を軽量化できるとともに、衣服の柔軟性を向上させることができる。特に、本実施例１の衣服の場合、衣服の前立て部における生地２表裏方向の柔軟性を高めることができる。【０１０５】
更に、本実施例１の場合、例えば生地２に防水性や撥水性などのような所望の機能を付与した上で、当該生地２にエレメント部材１０を直接縫い付けることが可能であるため、防水性や撥水性などを備えた高品質のスライドファスナー付き衣服１を容易に製造することも可能となる。【０１０６】
なお、上述した実施例１の場合、スライドファスナー付き衣服１の製造において、前身頃用の構成パーツ５は、裁断前の生地２に対してエレメント部材１０を縫い付け、その後、エレメント部材１０付きの生地２を所定の形状に裁断することによって、作製されている。しかし、本発明において、構成パーツを作製する工程は上記実施例１の態様に限定されるものではなく、以下のような方法を用いて、前身頃用の構成パーツ５を作製することも可能である。【０１０７】
例えば図９に示したように、生地２にエレメント部材１０を縫い付ける前に、生地２を所定の形状に裁断したものを準備する。また、生地２とは別途に、エレメント部材１０を、裁断した生地２の大きさに対応する所要の長さ寸法（実際に必要な長さ寸法）で切断したものを準備する。【０１０８】
その後、所定の形状に裁断した生地２に、所要の長さ寸法のエレメント部材１０を縫製によって取り付けることによって、前身頃用の構成パーツ５を作製することも可能である。この場合において、裁断した生地２のエレメント部材１０が取り付けられる部分の長さと、所要の長さのエレメント部材１０によるエレメント列４の長さとは同じ長さである。【０１０９】
またその他の方法として、生地２にエレメント部材１０を縫い付ける前に、生地２を粗い形状（大まかな形状）に予備的に裁断し、続いて、その予備裁断した生地２に、エレメント部材１０、又は、ある程度の長さ寸法（実際に必要な長さ寸法よりも長い寸法）に切断したエレメント部材１０を縫製によって取り付けることによって、エレメント部材１０付きの生地２を作製する。その後、そのエレメント部材１０付きの生地２を所定の形状に裁断する。このような方法を用いることによっても、前身頃用の構成パーツ５を作製することも可能である。【０１１０】
更に、例えば図１０及び図１１に示したように、複数の生地片６（生地２にエレメント部材１０が縫着された生地片６を含む）を、縫製により、又は高周波溶着手段などによる溶着により連結することによって、１つの構成パーツ（例えば前身頃用の構成パーツ５）を作製することも可能である。このように複数の生地片６を繋ぎ合わせて構成パーツを作製することにより、大きなサイズのスライドファスナー付き物品などを所定の形状で安定して製造することが可能となる。【０１１１】
なお、上述したエレメント部材１０が縫着された生地片６は、エレメント部材１０の長手方向の両端部に揃った位置で裁断されている。そして、このエレメント部材１０の両端部における生地片６は、少なくとも一方側の端部が湾曲状又は傾斜状となるように裁断される。このような湾曲状や傾斜状の部分が、衣服１を構成したときに前身頃の首周りの形状を呈するものになる。また、他方側の端部も同様に、湾曲状や傾斜状となるように裁断されてもよいが、衣服１の前身頃となる構成パーツ５としては、他方側はエレメント部材１０の長手方向に直交する方向に直線状に裁断されることが好ましい。
【実施例２】
【０１１２】
図１２は、本実施例２に係るスライドファスナー付き物品の要部を示す断面図である。図１３〜図１５は、同スライドファスナー付き物品の製造過程を説明する断面図である。
なお、本実施例２及び後述する実施例３においては、前述の実施例１と実質的に同じ構成を有する部品及び部材については同じ符号を用いて表すことによって、その説明を省略することとする。【０１１３】
本実施例２におけるスライドファスナーは、衣服の生地２にエレメント列が直接形成されて構成された左右一対のファスナーストリンガーと、左右のエレメント列に沿って摺動可能に配されたスライダー３０とを有している。また、本実施例２のスライドファスナーは、エレメント列が、衣服の外面側から見え難いように、衣服の生地２の裏面側（内面側）に配される所謂裏使いの態様で構成されている。【０１１４】
本実施例２の左右のファスナーストリンガーは、ファスナーテープとしての役割も果たす物品の生地（ファスナー被着部材）２と、当該生地２に２組の縫い糸１９により固定されたエレメント部材１０とを有している。この場合、エレメント部材１０は、ファスナーエレメント１１に湾曲部１６が設けられていないことを除いては、前述の実施例１におけるエレメント部材１０と同じ構成を有している。【０１１５】
ファスナー被着部材である生地２は、衣服の前立て部を構成する生地２である。この生地２は、当該生地２に水（雨水）などの液体が浸み込まないような防水性を与えるために、生地２の第２面となる表面（外面）に合成樹脂がコーティングされて構成されている。【０１１６】
また、生地２におけるエレメント部材１０が取り付けられる側縁部の裏面（第１面）には、樹脂フィルムなどの補強シート部材４１が接着剤によって貼着により取着されている。また、この補強シート部材４１は、縫い糸１９によってエレメント部材１０とともに生地２に縫い付けられている。このため、縫い糸１９は、エレメント部材１０の表面上から各ファスナーエレメント１１の間を通って、補強シート部材４１に刺通するとともに、生地２に刺通して、エレメント部材１０、補強シート部材４１、及び生地２を縫い合わせて固定している。【０１１７】
このように生地２の側縁部に補強シート部材４１が取り付けられていることによって、生地２の当該側縁部が補強されている。また、この補強シート部材４１及び生地２に縫い付けられたエレメント部材１０の取り付け強度を向上させている。この場合、補強シート部材４１は、０．７ｍｍ〜０．８ｍｍの厚さを有しており、補強シート部材４１が生地２に取り付けた状態における当該取着部分の厚さは１．１ｍｍ〜１．５ｍｍである。【０１１８】
この場合、補強シート部材４１は、エレメント部材１０とファスナー被着部材との間に介装されているとともに、ファスナー幅方向において、エレメント部材１０よりも生地２の内側の領域まで延びて取り付けられている。このように補強シート部材４１をエレメント部材１０とファスナー被着部材との間に介装することにより、補強シート部材４１がエレメント部材１０とファスナー被着部材との間に隠れるため、外観的に目立ち難くなる。【０１１９】
また、補強シート部材４１が、ファスナー幅方向において、エレメント部材１０よりも生地２の内側まで配されていることにより、生地２を広い範囲で補強できる。また、スライダー３０の後述する下フランジ部３５と生地２との間に、少なくとも補強シート部材４１の一部が下フランジ部３５の延長線上に位置していることで、下フランジ部３５を生地２に直接摺接させ難くすることができるため、生地２が、スライダー３０の摺動時に生じる下フランジ部３５との間の摩擦によって擦り切れることを抑制できる。【０１２０】
特に、スライダー３０を摺動させてエレメント部材１０を噛み合わせる際に、生地２がスライダー３０の後述するエレメント案内路内と下フランジ部３５及び突条部３６間に形成される挿通間隙内とに誘い込まれるため、下フランジ部３５と生地２とが摺接し易い関係になる。このため、上述のように補強シート部材４１を設けることにより、生地２が下フランジ部３５側に露呈している場合に比べて、生地２を効果的に保護することができる。【０１２１】
なお、本実施例２において、補強シート部材４１は、生地２のエレメント部材１０が取り付けられる裏面（第１面）側に接着剤によって貼着されている。しかし、本発明において、補強シート部材４１は、生地２のエレメント部材１０が取り付けられる裏面（第１面）とは反対側の表面（第２面）のみに取着することもでき、また、生地２の裏面（第１面）と表面（第２面）の両面に取着することもできる。また、補強シート部材４１を生地２に固着する手段として、上述のような接着剤による接着手段を用いる代わりに、高周波溶着などの溶着手段を用いることも可能である。【０１２２】
更に本実施例２では、生地２におけるエレメント部材１０が取り付けられる側縁部の表面（第２面）に、合成樹脂製の防水層４２が配されている。この防水層４２は、生地２にエレメント部材１０を縫い付けた後に形成されており、ポリウレタン系、ポリエステル系、ポリアミド系又は塩化ビニル系の熱可塑性エラストマーを、生地２の側縁部に薄く積層することによって構成されている。【０１２３】
なお、本発明において、防水層４２の材質は特に限定されるものではなく、任意に選択することができる。また、防水層４２を形成する代わりに、合成樹脂製のフィルム（樹脂フィルム）を生地２の側縁部の表面（第２面）に接着又は溶着することも可能である。【０１２４】
また、本実施例２のスライドファスナー付き衣服は、左右のエレメント列を噛合させたときに、左右の生地２及び防水層４２の側縁部同士が上下に重なるように、生地２に対するエレメント部材１０の縫着位置が調整されて構成されている。このようにエレメント列の噛合時に、左右の生地２及び防水層４２の側縁部同士が上下方向に重なることにより、水などの液体が生地２の表面側から裏面側に左右の生地２の境界部を介して浸入することを効果的に防止できる。【０１２５】
なお、本発明では、エレメント列の噛合時に、本実施例２のように左右の生地２及び防水層４２の側縁部同士が上下方向に重ならなくても、例えば左右の生地２及び防水層４２の側縁部同士（特に、側縁部の側端面同士）を接触させること、好ましくは密接させることによっても、水などの液体が生地２の表面側から裏面側に左右の生地２の境界部を介して浸入することを防止できる。【０１２６】
このように、噛合時に防水層４２の側縁部同士が接触するようにするには、左右の各防水層４２の側縁部が、左右のエレメント列が噛み合った状態でのエレメント列のテープ幅方向の中心と同じ位置に配され、又は、その中心を超えて噛合相手側に延出するように配されている。或いは、一方側の防水層４２を、他方側の防水層４２に接するまでエレメント列のテープ幅方向の中心を超えるように延出することもできる。【０１２７】
本実施例２のスライダー３０は、図１２に示すように、裏使い態様のスライドファスナー用スライダーとして構成されている。
具体的には、本実施例２のスライダー３０は、スライダー胴体３１と、取付軸部を一端部に備えた図示しない引手とを有している。また、スライダー胴体３１は、上翼板３３と、上翼板３３と離間して平行に配された下翼板３４と、上下翼板３３，３４の前端部（肩口側端部）間を連結する図示しない案内柱と、下翼板３４の左右側縁部から上翼板３３に向けて立設された下フランジ部３５と、上翼板３３の左右側縁部に配された突条部３６と、上翼板３３の上面に配された図示しない引手取付部とを有している。【０１２８】
このスライダー胴体３１の前端部には、案内柱を間に挟んで左右の肩口が形成され、スライダー胴体３１の後端部には後口が形成されている。また、上下翼板３３，３４間には、左右の肩口と後口とを連通する略Ｙ字形状のエレメント案内路が形成されており、このエレメント案内路は、エレメント部材と衣服の生地とが挿通可能な寸法をもって構成されている。【０１２９】
このような本実施例２のスライドファスナー付き衣服は、以下のような方法を用いて製造することができる。
先ず、エレメント部材１０と、衣服用の生地２（裁断される前の生地２）とを準備する。本実施例２のエレメント部材１０は、前述の実施例１と同様の方法で作製することができる。また、ファスナー被着部材となる衣服用の生地２は、編成された編物又は織成された織物に合成樹脂をコーティングすることによって作製する。その後、図１３に示したように、その作製した生地２の裏面側に、補強シート部材４１を接着剤によって貼り付ける。【０１３０】
次に、補強シート部材４１が貼着された生地２と、作製したエレメント部材１０とを、前述の実施例１の場合と同様の方法を用いて、補強シート部材４１が生地２とエレメント部材１０との間に挟まれるようにして縫製する。これにより、例えば図１４に示したように、エレメント部材１０、補強シート部材４１、及び生地２が一つに縫合された衣服用構成パーツ７が作製される。【０１３１】
このように補強シート部材４１をエレメント部材１０と生地２との間に挟んだ形で、エレメント部材１０、補強シート部材４１、及び生地２を縫い糸１９によって縫合することにより、補強シート部材４１で生地２が安定して補強されるとともに、補強シート部材４１が外部から見え難くなるため、衣服の外観品質が低下することも抑えられる。【０１３２】
その後、得られた衣服用構成パーツ７において、生地２のエレメント部材１０が縫い付けられた側縁部の表面（第２面）に、合成樹脂製の防水層４２を形成する。防水層４２は、例えば合成樹脂製のフィルムなどで構成されており、水などの液体の通過を防止することが可能である。【０１３３】
このように防水層４２を形成することにより、エレメント部材１０、補強シート部材４１、及び生地２を縫合する際に当該生地２に形成された針孔（ミシン針により形成された孔）を防水層４２で塞ぐとともに、生地２の表面側を走行する縫い糸１９（すなわち、二重環縫いを構成する針糸）を防水層４２で被うことができる。これにより、例えば水などの液体が、生地２の表面側から、生地２に形成された針孔や、針孔内に挿通された縫い糸１９を伝って生地２の表面側から裏面側に侵入することを効果的に防止できるため、衣服の防水性を大きく向上させることができる。【０１３４】
なお、本実施例２では、上述のように、衣服用構成パーツ７を作製した後に防水層４２の形成工程を行っているが、本発明では、エレメント部材１０を生地２に縫製により縫い付けた後であれば、防水層４２の形成工程をどの段階で行っても良い。例えば、エレメント部材１０を生地２に縫製により縫い付けた後に、生地２及びエレメント部材１０を裁断して構成パーツを作製する場合には、縫製後であって生地２及びエレメント部材１０に裁断を行う前に、防水層４２の形成工程を行うことも可能である。【０１３５】
その後、作製した各部位の構成パーツを互いに縫製等により結合させて、衣服を組み立てるとともに、生地２に縫い付けたエレメント部材１０のエレメント列にスライダー３０を摺動可能に取り付ける。これよって、本実施例２のスライドファスナー付き衣服が製造される。【０１３６】
このようにして製造された本実施例２のスライドファスナー付き衣服は、前述の実施例１のスライドファスナー付き衣服１と同様に、ファスナーテープが不用であるため、軽量化されるとともに、衣服の柔軟性が高められている。【０１３７】
更に、本実施例２のスライドファスナー付き衣服では、上述のように、エレメント列の噛合時に、左右の生地２及び防水層４２の側縁部同士が上下方向に重なることにより、水などの液体が、左右の生地２の境界部を介して生地２の表面側から裏面側に浸入することを効果的に防止できる。【０１３８】
また、生地２に合成樹脂がコーティングされているとともに、生地２のエレメント部材１０が縫着された側縁部の表面側に防水層４２が形成されている。これにより、液体が生地２に浸み込むことによって生地２の裏面側に浸入することを防止できるとともに、生地２に形成された針孔や、針孔内に挿通された縫い糸１９を伝って生地２の裏面側に侵入することも防止できる。従って、本実施例２のスライドファスナー付き衣服は、左右のエレメント列を噛合させたときに生地２の裏面側への液体の侵入を安定して防止できる優れた防水性能を備えている。
【実施例３】
【０１３９】
図１６は、本実施例３に係るスライドファスナー付き物品の要部を示す断面図である。図１７は、同スライドファスナー付き物品に用いられるエレメント部材を示す斜視図である。【０１４０】
本実施例３に係るスライドファスナー付き衣服において、スライドファスナーは、衣服の生地２にエレメント列が直接形成されて構成された左右一対のファスナーストリンガーと、左右のエレメント列に沿って摺動可能に配された不図示のスライダーとを有している。【０１４１】
この本実施例３に係るスライドファスナーは、エレメント列が、衣服の外面側から見え難いように、衣服の生地２の裏面側（内面側）に配される所謂裏使いの態様で構成されている。また、本実施例３で使用されるスライダーは、前述の実施例２のスライドファスナー付き衣服にて使用したスライダー３０と実質的に同様の構成を有している。【０１４２】
本実施例３のファスナーストリンガーは、物品の前立て部となる生地２（ファスナー被着部材）と、当該生地２の裏面（第１面）に第１縫い糸５９ａ及び第２縫い糸５９ｂにより固定されたエレメント部材５０とを有している。また、エレメント部材５０は、噛合頭部５３を備えた複数の独立した単独ファスナーエレメント（単独エレメント）５１と、これら複数のファスナーエレメント５１を所定の間隔をあけて連結する２本の連結紐状部材５２とを有している。【０１４３】
複数のファスナーエレメント５１は、例えば、ポリアミド、ポリアセタール、ポリプロピレン、ポリブチレンテレフタレートなどの熱可塑性樹脂を、２本の連結紐状部材５２に射出成形することにより、連結紐状部材５２と一体的に形成されている。【０１４４】
また、本実施例３における各ファスナーエレメント５１は、折り曲げ可能に形成された噛合頭部５３と、噛合頭部５３から上下に二股に分かれてファスナー幅方向に延出する第１脚部５４及び第２脚部５５とを有している。【０１４５】
この場合、第１脚部５４は、生地２に接触する側に配されたファスナーエレメント５１の脚部であり、第２脚部５５は、生地２から離間して配されたファスナーエレメント５１の脚部である。また、第１脚部５４及び第２脚部５５は、噛合頭部の折り曲げ部を挟んだ端部からそれぞれ延設されている。更に、第１脚部５４と第２脚部５５とは、互いに対称的な形態を有して構成されている。【０１４６】
ファスナーエレメント５１の第１脚部５４及び第２脚部５５の先端部には、それぞれ連結紐状部材５２が挿通されている。更に、第１脚部５４及び第２脚部５５の互いに対向するエレメント内面には内側凹溝部５６がそれぞれ形成されており、また、第１脚部５４及び第２脚部５５のエレメント内面とは反対側のエレメント外面には、噛合頭部５３側の第１外側凹溝部５７ａと、第１及び第２脚部５４，５５の先端部側（連結紐状部材５２側）の第２外側凹溝部５７ｂとがそれぞれ形成されている。【０１４７】
複数のファスナーエレメント５１を連結する連結紐状部材５２は、第１脚部５４の先端部（噛合頭部５３側とは反対側の暗部）に挿通される第１連結紐状部材５２ａと、第２脚部５５の先端部に挿通される第２連結紐状部材５２ｂとを有している。【０１４８】
これら第１及び第２連結紐状部材５２ａ，５２ｂは、ファスナーエレメント５１と同じ合成樹脂で構成されており、各ファスナーエレメント５１を貫通している。なお、第１及び第２連結紐状部材５２ａ，５２ｂは、マルチフィラメント糸などの紐状部材で構成されていても良い。また、第１及び第２連結紐状部材５２ａ，５２ｂの断面形状も、必要に応じて任意に変更することが可能である。【０１４９】
本実施例３のエレメント部材５０は、上述したように、互いに平行に配された２本の連結紐状部材５２に対して合成樹脂を射出成形して複数のファスナーエレメント５１を形成することにより構成されている。このとき、射出成形直後のエレメント部材５０は、ファスナーエレメント５１の第１脚部５４及び第２脚部５５が互いに反対の方向に開脚した状態で形成されている。【０１５０】
このエレメント部材５０を生地２に縫着するためには、先ず、ファスナーエレメント５１の第１脚部５４及び第２脚部５５が開脚した状態で、当該ファスナーエレメント５１の第１脚部５４を生地２の裏面（第１面）に配置し、ミシンを用いて第１縫製工程を行うことによって、第１脚部５４を第１縫い糸５９ａの二重環縫いにより生地２に縫い付ける。【０１５１】
このとき、二重環縫いを構成する第１縫い糸５９ａのルーパ糸は、ファスナーエレメント５１の第１脚部５４に形成された内側凹溝部５６内に収容されながら、第１縫い糸５９ａのルーパ糸と針糸との間に生地２とファスナーエレメント５１の第１脚部５４とを拘束することによって、第１脚部５４を生地２に縫い付け固定する。この場合、ファスナーエレメント５１の噛合頭部５３が生地２の側端縁から突出するように、生地２に対してファスナーエレメント５１の位置を合わせて生地２とファスナーエレメント５１の縫製が行われる。【０１５２】
次に、生地２に縫い付けられたファスナーエレメント５１の第１脚部５４に対して、ファスナーエレメント５１の第２脚部５５を、噛合頭部５３の中央部を中心にして、第１脚部５４の内面と第２脚部５５の内面とが対面するように断面がＵ字状となるように回転させることによって、第１脚部５４と第２脚部５５とを重ね合わせる。【０１５３】
その後、ミシンを用いて第２縫製工程を行うことによって、重ね合わせた第１脚部５４及び第２脚部５５を第２縫い糸５９ｂの二重環縫いにより生地２に縫い付ける。このとき、二重環縫いを構成する第２縫い糸５９ｂのルーパ糸は、ファスナーエレメント５１の第２脚部５５に形成された第２外側凹溝部５７ｂ内に収容されながら、第２縫い糸５９ｂのルーパ糸と針糸との間に、生地２とファスナーエレメント５１の第１脚部５４及び第２脚部５５とを拘束することによって、第１脚部５４及び第２脚部５５を生地２に縫い付け固定する。【０１５４】
このように第１及び第２縫い糸５９ａ，５９ｂが、ファスナーエレメント５１の内側凹溝部５６及び第２外側凹溝部５７ｂに収容されるとともに、当該ファスナーエレメント５１を第１及び第２縫い糸５９ａ，５９ｂで生地２に縫い付け固定することによって、第１及び第２縫い糸５９ａ，５９ｂの位置がずれることなく、ファスナーエレメント５１を生地２にしっかりと固定できる。【０１５５】
上述のようなエレメント部材５０を有する本実施例３のスライドファスナー付き衣服を製造する場合には、先ず、エレメント部材５０と、衣服用の生地２（裁断される前の生地２）とを準備する。【０１５６】
本実施例３のエレメント部材５０は、上述したように、２本の平行に配された第１及び第２連結紐状部材５２ａ，５２ｂに対して、合成樹脂を直接射出成形し、所定の形状を有する複数のファスナーエレメント５１を、その第１脚部５４と第２脚部５５とが噛合頭部５３を中心にして開脚した状態で形成することによって、作製することができる。また、エレメント部材５０とは別に、ファスナー被着部材となる衣服用の生地２を編成や織成などによって作製する。【０１５７】
次に、上述のようにして作製したエレメント部材５０及び生地２を用いて、エレメント部材５０が取着された衣服用の構成パーツを作製する。具体的には、ファスナーエレメント５１の第１脚部５４と第２脚部５５とが開脚した状態のエレメント部材５０を、ミシンを用いて上述したような第１縫製工程及び第２縫製工程の２段階の縫製工程を行うことによって、衣服の前身頃を構成する生地２の前立て部に縫着する。これによって、エレメント部材５０付きの生地２が得られる。【０１５８】
続いて、得られたエレメント部材５０付きの生地２を、衣服の前身頃に対応した所定の形状となるように裁断する。これにより、エレメント部材５０が取着された前身頃用の構成パーツが作製される。このとき、生地２に縫着されたエレメント部材５０は、エレメント部材５０のファスナーエレメント５１の位置ではなく、連結紐状部材５２の位置で切断するようにして裁断が行われる。【０１５９】
その後、作製した各部位の構成パーツを互いに縫製等により結合させて、衣服を組み立てるとともに、生地２に縫い付けたエレメント部材５０のエレメント列にスライダーを摺動可能に取り付けることよって、本実施例３のスライドファスナー付き衣服が製造される。【０１６０】
このようにして製造された本実施例３のスライドファスナー付き衣服では、衣服の生地２の一部が、衣服を構成するだけでなく、ファスナーテープとしても機能してスライドファスナーを構成している。このため、従来では必須構成部品であったファスナーテープが不用となり、スライドファスナー付き衣服の製造コストを低減することができる。また、スライドファスナー付き衣服を軽量化できるとともに、衣服の柔軟性を向上させることができる。【０１６１】
更に、本実施例３の場合も、例えば生地２に防水性や撥水性などのような所望の機能を付与した上で、当該生地２にエレメント部材５０を直接縫い付けることが可能であるため、防水性や撥水性などを備えた高品質のスライドファスナー付き衣服を容易に製造することも可能となる。【０１６２】
なお、本実施例３の場合でも、構成パーツ（例えば前身頃用の構成パーツ）を作製する際に、前述の実施例１にて説明したその他の方法、例えば、生地２にエレメント部材５０を縫い付ける前に、生地２を所定の形状に裁断し、また、エレメント部材５０を生地２とは別に所要の長さ寸法（実際に必要な長さ寸法）に切断したものを準備し、その後、裁断した生地２に、所要の長さのエレメント部材５０を縫製によって取り付けるという方法などを用いることも可能である。【０１６３】
また、前述した実施例１〜実施例３では、スライドファスナーが通常の表使いの態様（実施例１）又は裏使いの態様（実施例２及び３）で用いられたスライドファスナー付き衣服について説明している。しかし、本発明のスライドファスナー付き衣服には、例えば衣服の開閉部の左右端縁部をＵ字状に折り返して折り返し部を形成し、その左右の折り返し部にエレメント部材を縫い糸によって縫い付けることによって、所謂隠しスライドファスナーの態様でエレメント部材が生地に直接取り付けられたスライドファスナー付き衣服も含まれる。【０１６４】
このように隠しスライドファスナーの態様でエレメント部材が生地に縫い付けられることによっても、ファスナーテープをファスナー被着部材となる生地とは別部材で用いる必要がなくなるため、製造コストを低減できる。また、隠しスライドファスナー付き衣服を軽量化できるとともに、衣服の柔軟性を向上させることができる。
【符号の説明】
【０１６５】
１                スライドファスナー付き衣服
２                生地（ファスナー被着部材）
３                生地片
４                エレメント列
５                構成パーツ
６                生地片
７                構成パーツ
１０                エレメント部材
１１                ファスナーエレメント（単独エレメント）
１２                連結紐状部材
１２ａ              第１連結紐状部材
１２ｂ              第２連結紐状部材
１３                胴体部
１４                延出部
１４ａ              第１延出部
１４ｂ              第２延出部
１５                収容溝
１６                湾曲部
１７                首部
１８                噛合頭部
１９                縫い糸
２０                スライダー
２１                スライダー胴体
２２                引手
２３                上翼板
２４                下翼板
２５                上フランジ部
２６                突条部
２７                引手取付部
３０                スライダー
３１                スライダー胴体
３３                上翼板
３４                下翼板
３５                下フランジ部
３６                突条部
４１                補強シート部材
４２                防水層
５０                エレメント部材
５１                ファスナーエレメント（単独エレメント）
５２                連結紐状部材
５２ａ              第１連結紐状部材
５２ｂ              第２連結紐状部材
５３                噛合頭部
５４                第１脚部
５５                第２脚部
５６                内側凹溝部
５７ａ              第１外側凹溝部
５７ｂ              第２外側凹溝部
５９ａ              第１縫い糸
５９ｂ              第２縫い糸
【図１】
2014118948.tif 000003
【図２】
2014118948.tif 000004
【図３】
2014118948.tif 000005
【図４】
2014118948.tif 000006
【図５】
2014118948.tif 000007
【図６】
2014118948.tif 000008
【図７】
2014118948.tif 000009
【図８】
2014118948.tif 000010
【図９】
2014118948.tif 000011
【図１０】
2014118948.tif 000012
【図１１】
2014118948.tif 000013
【図１２】
2014118948.tif 000014
【図１３】
2014118948.tif 000015
【図１４】
2014118948.tif 000016
【図１５】
2014118948.tif 000017
【図１６】
2014118948.tif 000018
【図１７】
2014118948.tif 000019
【図１８】
2014118948.tif 000020
【図１９】
2014118948.tif 000021
【手続補正書】
【提出日】平成28年7月1日(2016.7.1)
【手続補正１】
【補正対象書類名】特許請求の範囲
【補正対象項目名】請求項１
【補正方法】変更
【補正の内容】
【請求項１】
複数の合成樹脂製の単独エレメント(11,51) が、可撓性を有する少なくとも１本の連結紐状部材(12,52) に等間隔で固着一体化されて連結された一対のエレメント部材(10,50) と、
上下翼板(23,24,33,34) 間にエレメント案内路が形成されたスライダー(20,30) と、
物品の開閉部を形成するファスナー被着部材(2) とを有し、
前記ファスナー被着部材(2) の第１面側に、前記一対のエレメント部材(10,50) が縫い糸(19,59a,59b)により直接縫着され、
前記スライダー(20,30) の前記エレメント案内路内に、前記エレメント部材(10,50) と前記ファスナー被着部材(2) とが挿通されてなり、
前記ファスナー被着部材(2) に補強シート部材(41)が、ファスナー被着部材(2) の第１面側に取着され、かつ前記補強シート部材(41)がファスナー被着部材(2) とエレメント部材(10,50) との間に挟まれるようにし、前記縫い糸(19,59a,59b)が前記エレメント部材(10,50) 、前記補強シート部材(41)及び前記ファスナー被着部材(2) を縫合する、
ことを特徴とするスライドファスナー付き物品。
【手続補正２】
【補正対象書類名】特許請求の範囲
【補正対象項目名】請求項８
【補正方法】変更
【補正の内容】
【請求項８】
スライダー(20,30) の摺動により開閉されるスライドファスナーが、ファスナー被着部材(2) に取着されたスライドファスナー付き物品(1) の製造方法であって、
複数の噛合頭部(18,53) を等間隔に有する一対のエレメント部材(10,50) を作製すること、
前記エレメント部材(10,50) を前記ファスナー被着部材(2) の第１面側に縫着し、前記エレメント部材(10,50) が縫着された前記ファスナー被着部材(2) を、前記エレメント部材(10,50) と一緒に所要の形状に裁断することにより、又は、前記ファスナー被着部材(2) を所定の形状に裁断するとともに前記エレメント部材(10,50) を所要の長さに切断し、前記ファスナー被着部材(2) の第１面側に前記エレメント部材(10,50) を縫着することにより、エレメント部材(10,50) 付き構成パーツ(7) を作製すること、
前記構成パーツ(7) を用いて前記物品(1) を組み立てるとともに、前記エレメント部材(10,50) によるエレメント列(4) に前記スライダー(20,30) を摺動可能に取り付けること、及び
前記ファスナー被着部材(2) に補強シート部材(41)を、ファスナー被着部材(2) の第１面側に取着し、かつ前記補強シート部材(41)をファスナー被着部材(2) とエレメント部材(10,50) との間に挟むようにして、前記縫い糸(19,59a,59b)をもって前記エレメント部材(10,50) 、前記補強シート部材(41)及び前記ファスナー被着部材(2) を縫合すること、
を含んでなることを特徴とするスライドファスナー付き物品の製造方法。
【手続補正３】
【補正対象書類名】明細書
【補正対象項目名】００２５
【補正方法】変更
【補正の内容】
【００２５】
上記目的を達成するために、本発明により提供されるスライドファスナー付き物品は、基本的な構成として、複数の合成樹脂製の単独エレメントが、可撓性を有する少なくとも１本の連結紐状部材に等間隔で固着一体化されて連結された一対のエレメント部材と、上下翼板間にエレメント案内路が形成されたスライダーと、物品の開閉部を形成するファスナー被着部材とを有し、前記ファスナー被着部材の第１面側に、前記一対のエレメント部材が縫い糸により直接縫着され、前記スライダーの前記エレメント案内路内に、前記エレメント部材と前記ファスナー被着部材とが挿通されてなり、前記ファスナー被着部材に補強シート部材が、ファスナー被着部材の第１面側に取着され、かつ前記補強シート部材がファスナー被着部材とエレメント部材との間に挟まれるようにし、前記縫い糸が前記エレメント部材、前記補強シート部材及び前記ファスナー被着部材を縫合することを最も主要な特徴とするものである。
【手続補正４】
【補正対象書類名】明細書
【補正対象項目名】００３１
【補正方法】変更
【補正の内容】
【００３１】
次に、本発明によれば、スライダーの摺動により開閉されるスライドファスナーが、ファスナー被着部材に取着されたスライドファスナー付き物品の製造方法であって、複数の噛合頭部を等間隔に有する一対のエレメント部材を作製すること、前記エレメント部材を前記ファスナー被着部材の第１面側に縫着し、前記エレメント部材が縫着された前記ファスナー被着部材を、前記エレメント部材と一緒に所要の形状に裁断することにより、又は、前記ファスナー被着部材を所定の形状に裁断するとともに前記エレメント部材を所要の長さに切断し、前記ファスナー被着部材の第１面側に前記エレメント部材を縫着することにより、エレメント部材付き構成パーツを作製すること、前記構成パーツを用いて前記物品を組み立てるとともに、前記エレメント部材によるエレメント列に前記スライダーを摺動可能に取り付けること、及び前記ファスナー被着部材に補強シート部材を、ファスナー被着部材の第１面側に取着し、かつ前記補強シート部材をファスナー被着部材とエレメント部材との間に挟むようにして、前記縫い糸をもって前記エレメント部材、前記補強シート部材及び前記ファスナー被着部材を縫合すること、を含んでなることを最も主要な特徴とするスライドファスナー付き物品の製造方法が提供される。
【国際調査報告】
2014118948.tif 000022
2014118948.tif 000023
2014118948.tif 000024
2014118948.tif 000025